【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
基材によって部分的に埋め込まれ、かつ物理的に保持されているナノチューブを含み、ナノチューブ基材構造を形成しているナノ構造複合材であって、該ナノチューブが該基材から突出することで、ナノチューブ先端が露出しており、該基材がポリマー材料、ゲル化イオン性液体および／または生体分子である、ナノ構造複合材。
【請求項２】
前記ナノチューブが、カーボンナノチューブ、金属酸化物ナノチューブおよび／またはペプチジルナノチューブからなる群のうちの１以上から選択される請求項１に記載の複合材。
【請求項３】
前記ナノチューブが配向カーボンナノチューブである請求項１または２に記載の複合材。
【請求項４】
前記ナノチューブがＳＷＮＴおよび／またはＭＷＮＴである請求項１から３のうちのいずれか１項に記載の複合材。
【請求項５】
前記複合材が、金属および／または金属酸化物層を含む請求項１から４のうちのいずれか１項に記載の複合材。
【請求項６】
前記露出したナノチューブ先端がコーティングされている請求項１から５のうちのいずれか１項に記載の複合材。
【請求項７】
前記コーティングが、生分解性ポリマー、金属および／もしくは金属酸化物層、ならびに／または導電性フィルムである請求項６に記載の複合材。
【請求項８】
前記導電性フィルムがポリエチレン、ポリエチレンジオキシチオフェン（ＰＥＤＯＴ）、可溶性ポリピロール類、ポリチオフェン類およびポリアニリン類のうちの１以上からなる群から選択される請求項７に記載の複合材。
【請求項９】
前記コーティングが添加剤を含む請求項７または８に記載の複合材。
【請求項１０】
前記添加剤が、１以上の生体分子、放射性同位体、導電性材料、ナノチューブ、金属ネットワークおよび／またはこれらの組み合わせからなる群から選択される請求項９に記載の複合材。
【請求項１１】
前記ナノチューブ添加剤が、カーボンナノチューブ、二酸化チタンナノチューブなどの金属酸化物ナノチューブ、金属ナノロッドおよびペプチジルナノチューブから選択される請求項１０に記載の複合材。
【請求項１２】
前記金属ネットワークがＡｕおよび／またはＰｔの金属塩である請求項１０に記載の複合材。
【請求項１３】
前記ポリマー材料が、ポリエチレン、ポリエチレンジオキシチオフェン（ＰＥＤＯＴ）、可溶性ポリピロール類、ポリチオフェン類およびポリアニリン類からなる群のうちの１以上から選択される電子伝導体である請求項１から１２のうちのいずれか１項に記載の複合材。
【請求項１４】
前記ポリマー材料が、アクリレート類、アクリル酸、ポリアクリル酸エステル類、ポリアクリルアミド類、ポリアクリロニトリル類、塩素化ポリマー、フッ素化ポリマー、スチレン系ポリマー、ポリウレタン類、天然ゴム、合成ゴムポリマー、塩化ビニル−アクリレートポリマー、これらのコポリマーおよびこれらの組み合わせからなる群のうちの１以上から選択される請求項１から１２のうちのいずれか１項に記載の複合材。
【請求項１５】
アクリレートポリマーがポリ（メタクリル酸メチル）、ポリ（酢酸ビニル−アクリレート）およびポリ（酢酸ビニル−エチレン）からなる群から選択され、アクリル酸ポリマーがポリ（アクリル酸）、ポリ（酢酸ビニル）、ポリプロピオン酸ビニル、ポリアクリル酸エステル類、ポリアクリルアミド類およびポリアクリロニトリル類からなる群から選択され、塩素化ポリマーがポリ（塩化ビニル）、ポリ（塩化ビニリデン）、ポリ（塩化ビニル−エチレン）、ポリ（塩化ビニル−プロピレン）および塩化ビニル−アクリレートポリマーからなる群から選択され、フッ素化ポリマーがポリテトラフルオロエチレン、ポリ（フッ化ビニル）、ポリ（フッ化ビニリデン）、ポリ（フッ化ビニル−エチレン）およびポリ（フッ化ビニル−プロピレン）からなる群から選択され、スチレン系ポリマーがポリスチレン、ポリ（スチレン−コ−ブタジエン）、スチレン−アクリレートコポリマーおよびポリ（スチレン−β−イソブチレン−β−スチレン）（ＳＩＢＳ）からなる群から選択され、天然ゴムおよび合成ゴムポリマーが、シリコーンゴムおよびシラスティック（商標名）、ならびにこれらのコポリマーおよびこれらの組み合わせからなる群から選択される請求項１４に記載の複合材。
【請求項１６】
前記生体分子が、生体電解質、核酸、ポリアミノ酸、タンパク質、酵素、多糖類、脂質、ホルモン、神経成長因子、抗細菌分子、細胞阻害性分子、幹細胞および／または幹様細胞からなる群のうちの１以上から選択される請求項１から１５のうちのいずれか１項に記載の複合材。
【請求項１７】
前記生体高分子電解質が、ヒアルロン酸（ＨＡ）、キトサン、ヘパリン、硫酸コンドロイチン、ポリグリコール酸（ＰＧＡ）、ポリ乳酸（ＰＬＡ）、ポリアミド類、ポリ−２−ヒドロキシ−酪酸エステル（ＰＨＢ）、ポリカプロラクトン（ＰＣＬ）、ポリ（乳酸−コ−グリコール酸）（ＰＬＧＡ）、硫酸プロタミン、ポリアリルアミン、ポリジアリルジメチルアンモニウム、ポリエチレンイミン、オイドラギット、ゼラチン、スペルミジン、アルブミン、ポリアクリル酸、アルギン酸ナトリウム、ポリスチレンスルホネート、カラギーナン、カルボキシメチルセルロースからなる群のうちの１以上から選択される請求項１６に記載の複合材。
【請求項１８】
前記生体分子が、１以上のモノマーおよび／または１以上の酸化剤を含み、１以上のモノマーが存在する場合には電気化学的もしくは化学的酸化によって、および／または１以上の酸化剤が前記生体分子とともに含まれる場合には気相重合によって、前記基材を導電性とする請求項１６または１７に記載の複合材。
【請求項１９】
添加剤をさらに含む請求項１から１８のうちのいずれか１項に記載の複合材。
【請求項２０】
添加剤が、１以上の生体分子、放射性同位体、導電性材料、ナノチューブ、カーボンナノチューブ、二酸化チタンナノチューブなどの金属酸化物ナノチューブ、金属ナノロッドおよびペプチジルナノチューブ、金属ネットワークおよび／またはこれらの組み合わせからなる群から選択される請求項１９に記載の複合材。
【請求項２１】
前記複合材の導電率が、０．１から１０ｓｃｍ−１の範囲である請求項１から２０のうちのいずれか１項に記載の複合材。
【請求項２２】
ｉ）ナノチューブ層を準備する段階；
ｉｉ）基材を、段階ｉ）で製造したナノチューブ層に組み込む段階；および
ｉｉｉ）ナノチューブ／基材複合材構造を形成する段階
を含むナノ構造複合材の製造方法。
【請求項２３】
（ｉ）ナノチューブ層を準備する段階；
（ｉｉ）分散媒と基材を含む分散液を準備する段階；および
（ｉｉｉ）前記分散液を前記ナノチューブ層上にキャスティングする段階、および
（ｉｖ）ナノチューブ／基材複合材構造を形成する段階
を含むナノ構造複合材の製造方法。
【請求項２４】
前記分散媒における前記基材の濃度が、１から７５％（重量／体積）、５から５０％（重量／体積）または１５から２５％（重量／体積）の範囲である請求項２３に記載の方法。
【請求項２５】
前記分散媒が、水、トルエン、Ｎ−メチルピロリジン（ＮＭＰ）、ジメチルプロピレン尿素（ＤＭＰＵ）およびテトラヒドロフラン（ＴＨＦ）からなる群から選択される溶媒である請求項２３または２４に記載の方法。
【請求項２６】
前記分散媒が添加剤を含む請求項２３から２５のうちのいずれか１項に記載の方法。
【請求項２７】
前記添加剤が、前記分散媒に溶かしたナノチューブを含み、前記分散媒中のナノチューブの濃度が０．００１％から５％、０．０１％から０．０５％、または０．１重量％から１．０重量％の範囲である請求項２６に記載の方法。
【請求項２８】
前記添加剤が生体分子であり、前記基材中の生体分子の量が１から５０（重量／重量％）の範囲である請求項２６または２７に記載の方法。
【請求項２９】
前組み込み段階をさらに含む請求項２２から２８のうちのいずれか１項に記載の方法。
【請求項３０】
前記前組み込み段階が、前記ナノチューブへの金属および／または金属酸化物層の沈着を含む請求項２９に記載の方法。
【請求項３１】
全体または部分的に、請求項１から２１のうちのいずれか１項に記載のナノ構造複合材からなる装置。
【請求項３２】
電極、生体電極、電池、コンデンサ、バイオ電池、バイオコンデンサおよび／または医療機器である請求項３１に記載の装置。
【請求項３３】
薬剤の放出および／または電荷の送達を可能とするものである請求項３１または３２に記載の装置。